(57)【要約】      （修正有）【課題】収納箱の用途の他に座椅子としても使用でき、不使用時にはコンパクトに折り畳める折り畳み式収納箱を提供する。【解決手段】箱体２と底板３と蓋体４とで構成し、箱体には同一幅で平行に対向する第１、第２の側壁６，７と、幅中心線１０，１１にて折り曲げ可能で幅が第１、第２の側壁の幅より狭い第３、第４の側壁８，９を設ける。物品収納の際は第３、第４の側壁を幅中心線を箱内側に寄せて折り曲げた形状とする。箱体底部は軟性布材で覆い、底板は底部に丁度納まる形状として底部上に置く。蓋体は箱体上端部が丁度納まる長方形箱型とし、箱体高さは第１、第２の側壁が蓋体に納まる寸法とする。不使用時には第３、第４の側壁を幅中心線にて折り畳み、側壁間の繋ぎ部を折り畳み、第１、第２の側壁間に折り畳んだ第３、第４の側壁を挟んだ状態にして底板と重ねて蓋体内に収納する。【選択図】図２
0003189040.tif 000002
【実用新案登録請求の範囲】
【請求項１】
物品を収納する収納箱の用途に加えて座椅子として使用でき、不使用時にはコンパクトな形に折り畳める折り畳み式収納箱であって、
上方が開口した箱体と、該箱体の底面上に載置する底板と、箱体の上方開口を覆う蓋体とから構成され、
前記箱体は同一幅で平行に対向する第１、第２の側壁と、それら側壁辺部間を塞ぎ、その幅中心線にて折り曲げ可能で、折り曲げない状態の幅が前記第１、第２の側壁の幅より
狭い同一幅の第３、第４の側壁を有し、
収納箱として使用する際には前記第３、第４の側壁の幅中心線を箱内側に寄せて折り曲げた収納時形状として使用するもので、箱体底部は該収納時形状に合わせた軟性布材で覆われており、前記底板は前記収納時形状において箱体底部に丁度納まる形状に形成して箱体底面上に載置され、前記蓋体は前記収納時形状にした箱体上端部が丁度納まる長方形箱型に形成され、前記箱体の前記第１、第２の側壁高さは該第１、第２の側壁を前記蓋体の天板に平行にして蓋体内に収納できる寸法に形成されており、
収納箱の不使用時には、前記第３、第４の側壁をその幅中心線にて折り畳むように折り曲げ、前記第１、第２の側壁も前記第３、第４の側壁との繋ぎ部を折り畳むように折り曲げ、第１、第２の側壁間に折り畳んだ第３、第４の側壁を挟んだ状態にして取り外した底板と重ねて前記蓋体内に収納し、該収納した状態では収納物が前記蓋体に丁度納まる高さに前記蓋体の側壁高さが調整されていることを特徴とする折り畳み式収納箱。
【請求項２】
請求項１に記載の折り畳み式収納箱において、収納箱として使用する際には前記第３、第４の側壁を幅中心線を箱内側に寄せて折り曲げることに代えて、折り曲げずに直線状にした収納時形状として使用し、前記蓋体は該収納時形状とした箱体上端部が丁度納まる長方形箱型に形成されていることを特徴とする折り畳み式収納箱。
【請求項３】
物品を収納する収納箱の用途に加えて座椅子として使用でき、不使用時にはコンパクトな形に折り畳める折り畳み式収納箱であって、
上方が開口した箱体と、該箱体の底面上に載置する底板と、箱体の上方開口を覆う蓋体とから構成され、
前記箱体は同一幅で平行に対向する第１、第２の側壁と、それら側壁辺部間を塞ぎ、その幅中心線にて折り曲げ可能で、その側壁幅の１／２の寸法が前記第１、第２の側壁の幅の２／３よりも大きく、第１、第２の側壁の幅よりも側壁厚み分だけ小さい数値の範囲にされている第３、第４の側壁を有し、
収納箱として使用する際には前記第３、第４の側壁の幅中心線を箱内側に寄せて折り曲げた収納時形状として使用するもので、箱体底部は該収納時形状に合わせた軟性布材で覆われており、前記底板は前記収納時形状において箱体底部に丁度納まる形状に形成して箱体底面上に載置され、前記蓋体は前記収納時形状にした箱体上端部が丁度納まる長方形箱型に形成され、前記箱体の前記第１、第２の側壁高さは該第１、第２の側壁を前記蓋体の天板に平行にして蓋体内に収納できる寸法に形成されており、
収納箱の不使用時には、前記第４の側壁を幅中心線にて折り畳んで前記第２の側壁に折り重ね、続いてその上に前記第３の側壁を幅中心線にて折り畳んで折り重ねると同時にその上に前記第１の側壁を折り重ねることにより箱体を偏平形状に折り畳んだ状態とし、取り外した底板と重ねて前記蓋体内に収納し、該収納した状態では収納物が前記蓋体に丁度納まる高さに前記蓋体の側壁高さが調整されていることを特徴とする折り畳み式収納箱。
【請求項４】
請求項３に記載の折り畳み式収納箱において、収納箱として使用する際には前記第３、第４の側壁を幅中心線を箱内側に寄せて折り曲げることに代えて、折り曲げずに直線状にした収納時形状として使用し、前記蓋体は該収納時形状とした箱体上端部が丁度納まる長方形箱型に形成されていることを特徴とする折り畳み式収納箱。
【考案の詳細な説明】
【技術分野】
【０００１】
本考案は、物品を収納する収納箱としての用途に加えて座椅子としても使用でき、不使用時には収蔵に便利なコンパクトな形に折り畳める折り畳み式収納箱に関する。
【背景技術】
【０００２】
この種の折り畳み式収納箱としては、箱体と、箱体の底面上に載置する底板と、箱体の上面開口を覆う蓋体とからなる収納箱が知られている（例えば、特許文献１、２参照）。これら収納箱は、物品を収納する箱体として使用できることに加えて箱体の開口を覆う蓋体を座面とする座椅子としても使用でき、不使用時には箱体のみ、又は箱体と蓋体の双方をコンパクトに折り畳めるように構成されている。
【０００３】
しかし、これら文献に開示されている折り畳み式収納箱には各種の問題点がある。下記特許文献１に開示されている折り畳み収納箱は、蓋体がその頂面四辺の下方に延伸する４個の延伸壁を有し、各延伸壁は頂面に対して折り畳み可能で、相対する一対の延伸壁は三面が交差する角端から傾斜折線により折れる構造になっている。不使用時にはその蓋体と箱体を共に折り畳み、底板と重ね合わせて保管する。しかし、このような折り畳みと重ね合わせでは各部品が保管中にばらばらになって紛失する心配がある。このため紐で全体を縛る等の余分な対策を必要とする点で保管性に問題がある。
【０００４】
また、下記特許文献２には、蓋体を折り畳み式にしないで直方体形状を保つようにした収納スツールが開示されている。不使用時には箱体を折り畳んで底板と共に直方体形状蓋体に納めるとされている。しかし、この実用新案登録は権利範囲が極めて不明確である。請求項１には、「−−前記第１〜第４の側壁部のうち一対の側壁部は、幅方向における中央部で上下方向に延在する第５及び第６の折曲部により折り曲げ可能であり、−−」と記載されている。この文中の「中央部」とは如何なる範囲を指しているのか曖昧で不明である。実用新案法第５条第６項第２号は、実用新案登録請求の範囲の記載要件として、「実用新案を受けようとする考案が明確であること。」と規定している。「中央部」という表現では、どの範囲がその「中央部」に含まれるか不明であり、「考案が明確であること」という記載要件を満たしているとは考えにくい。
【０００５】
例えば、図１５の（１）に示すように、折曲する第３、第４の側壁部５３、５４の折曲部５５、５６を共に第３、第４の側壁部５３、５４の中央位置５７、５８よりも対向する第１、第２の側壁部５１、５２の第２の側壁部５２側に僅かに寄った位置にしたとする。僅かしか寄っていないのでこの位置も「中央部」といえる。しかし、この状態で第３、第４の側壁部５３、５４を折曲させた場合には、図１５の（２）に示すような状態になって折り畳むことができない。
【０００６】
また、図１６の（１）に示すように、折曲する第３、第４の側壁部５３、５４の幅Ｌ１が対向する第１、第２の側壁部５１、５２の幅Ｌ２の２倍よりも広いと、たとえ第３、第４の側壁部５３、５４の幅中心を折曲部５５、５６として折り曲げた場合は図１６の（２）に示すように折曲部５５、５６が衝突して折り畳むことができない。無理に折り畳んだとしても、第３、第４の側壁部５３、５４の幅Ｌ１の１／２の寸法が第１、第２の側壁部５１、５２の幅Ｌ２より大きいため、第１、第２の側壁部５１、５２間に第３、第４の側壁部５３、５４を折り畳んだ状態で挟み込むことは不可能である。即ち、この考案は、考案が明確でない上に実施できない実施形態を含むため無効理由を含むと考えられる。請求項１を引用する請求項２、３も同様と考えられる。
【先行技術文献】
【特許文献】
【０００７】
【特許文献１】実用新案登録第３１２１０９６号公報
【特許文献２】実用新案登録第３１６８５５２号公報
【考案の開示】
【考案が解決しようとする課題】
【０００８】
本考案は、従来技術のこうした問題点を解決するためになされたもので、その課題は、物品を収納する収納箱としての用途に加えて座椅子としても使用でき、不使用時には収蔵に便利なコンパクトな形に折り畳める折り畳み式収納箱であって、確実に実施できる折り畳み式収納箱の構造を提供することにある。
【課題を解決するための手段】
【０００９】
前記課題を解決するための請求項１に記載の考案は、物品を収納する収納箱の用途に加えて座椅子として使用でき、不使用時にはコンパクトな形に折り畳める折り畳み式収納箱であって、上方が開口した箱体と、該箱体の底面上に載置する底板と、箱体の上方開口を覆う蓋体とから構成され、箱体は同一幅で平行に対向する第１、第２の側壁と、それら側壁辺部間を塞ぎ、その幅中心線にて折り曲げ可能で、折り曲げない状態の幅が前記第１、第２の側壁の幅より狭い同一幅の第３、第４の側壁を有し、収納箱として使用する際には第３、第４の側壁の幅中心線を箱内側に寄せて折り曲げた収納時形状として使用するもので、箱体底部は該収納時形状に合わせた軟性布材で覆われており、底板は収納時形状において箱体底部に丁度納まる形状に形成して箱体底面上に載置され、蓋体は収納時形状にした箱体上端部が丁度納まる長方形箱型に形成され、箱体の第１、第２の側壁高さは第１、第２の側壁を蓋体の天板に平行にして蓋体内に収納できる寸法に形成されており、収納箱の不使用時には、第３、第４の側壁をその幅中心線にて折り畳むように折り曲げ、第１、第２の側壁も第３、第４の側壁との繋ぎ部を折り畳むように折り曲げ、第１、第２の側壁間に折り畳んだ第３、第４の側壁を挟んだ状態にして取り外した底板と重ねて蓋体内に収納し、該収納した状態では収納物が蓋体に丁度納まる高さに蓋体の側壁高さが調整されていることを特徴とする折り畳み式収納箱である。
【００１０】
このような構成の折り畳み式収納箱は、収納時形状にした状態では物品を収納する収納箱として使用できることに加え、箱体上に載置した蓋体を座面とする座椅子としても使用できる。そして、不使用時にはコンパクトな形に折り畳んで収納できるので保管にも便利である。また、収納時形状にした場合に第３、第４の側壁は幅中心線が箱内側に寄せて折り曲がった状態になる。このため、座面である蓋体はその折り曲がった部分で確実に支持される上、その部分が箱内側寄りであるため上方の加重に耐える力が強い利点を有する。
【００１１】
請求項２に記載の考案は、請求項１に記載の折り畳み式収納箱において、収納箱として使用する際には第３、第４の側壁を幅中心線を箱内側に寄せて折り曲げることに代えて、折り曲げずに直線状にした収納時形状として使用し、蓋体は該収納時形状とした箱体上端部が丁度納まる長方形箱型に形成されていることを特徴とする折り畳み式収納箱である。
【００１２】
このような構成の折り畳み式収納箱も収納時形状にした状態では物品を収納する収納箱として使用できることに加え、箱体上に載置した蓋体を座面とする座椅子としても使用できる。そして、不使用時にはコンパクトな形に折り畳んで収納できるので保管にも便利である。
【００１３】
請求項３に記載の考案は、物品を収納する収納箱の用途に加えて座椅子として使用でき、不使用時にはコンパクトな形に折り畳める折り畳み式収納箱であって、上方が開口した箱体と、該箱体の底面上に載置する底板と、箱体の上方開口を覆う蓋体とから構成され、箱体は同一幅で平行に対向する第１、第２の側壁と、それら側壁辺部間を塞ぎ、その幅中心線にて折り曲げ可能で、その側壁幅の１／２の寸法が第１、第２の側壁の幅の２／３よりも大きく、第１、第２の側壁の幅よりも側壁厚み分だけ小さい数値の範囲にされている第３、第４の側壁を有し、収納箱として使用する際には第３、第４の側壁の幅中心線を箱内側に寄せて折り曲げた収納時形状として使用するもので、箱体底部は該収納時形状に合わせた軟性布材で覆われており、底板は収納時形状において箱体底部に丁度納まる形状に形成して箱体底面上に載置され、蓋体は収納時形状にした箱体上端部が丁度納まる長方形箱型に形成され、箱体の第１、第２の側壁高さは第１、第２の側壁を蓋体の天板に平行にして蓋体内に収納できる寸法に形成されており、収納箱の不使用時には、第４の側壁を幅中心線にて折り畳んで第２の側壁に折り重ね、続いてその上に第３の側壁を幅中心線にて折り畳んで折り重ねると同時にその上に第１の側壁を折り重ねることにより箱体を偏平形状に折り畳んだ状態とし、取り外した底板と重ねて蓋体内に収納し、該収納した状態では収納物が蓋体に丁度納まる高さに蓋体の側壁高さが調整されていることを特徴とする折り畳み式収納箱である。
【００１４】
このような構成の折り畳み式収納箱は、請求項１に記載の折り畳み式収納箱と同様の効果を奏する。加えて、収納時形状にした状態では、第１、第２の側壁間の寸法は第１、第２の側壁の側壁幅の約２倍まで許容されるため幅広の収納箱を製作できる。更に、第１、第２、第３、第４の側壁の高さは、収納時形状における第１、第２の側壁間の寸法にほぼ等しい寸法まで許容されるため、高さの高い収納箱、高さの高い座椅子を製作できる利点を有する。
【００１５】
請求項４に記載の考案は、請求項３に記載の折り畳み式収納箱において、収納箱として使用する際には第３、第４の側壁を幅中心線を箱内側に寄せて折り曲げることに代えて、折り曲げずに直線状にした収納時形状として使用し、蓋体は該収納時形状とした箱体上端部が丁度納まる長方形箱型に形成されていることを特徴とする折り畳み式収納箱である。
【００１６】
このような構成の折り畳み式収納箱も収納時形状にした状態では物品を収納する収納箱として使用できることに加え、箱体上に載置した蓋体を座面とする座椅子としても使用できる。そして、不使用時にはコンパクトな形に折り畳んで収納できるので保管にも便利である。
【図面の簡単な説明】
【００１７】
【図１】第１の実施形態に係る折り畳み式収納箱１の外観図である。
【図２】折り畳み式収納箱１の分解斜視図である。
【図３】折り畳み式収納箱１の箱体２を折り畳んで蓋体４に収納した状態である。
【図４】折り畳み式収納箱１の箱体２を折り畳んだ状態である。
【図５】第２の実施形態に係る折り畳み式収納箱２１の外観図である。
【図６】折り畳み式収納箱２１の分解斜視図である。
【図７】第３の実施形態に係る折り畳み式収納箱３１の外観図である。
【図８】折り畳み式収納箱３１の分解斜視図である。
【図９】折り畳み式収納箱３１の箱体２の平面図である。
【図１０】折り畳み式収納箱３１の箱体２を折り畳んで蓋体４に収納した状態である。
【図１１】折り畳み式収納箱３１の箱体２を折り畳んだ状態である。
【図１２】折り畳み式収納箱３１の箱体２を折り畳む過程を示した図である。
【図１３】第４の実施形態に係る折り畳み式収納箱４１の外観図である。
【図１４】折り畳み式収納箱４１の分解斜視図である。
【図１５】従来技術の折り畳み式収納箱の箱体を折り畳んだときの不具合を説明する図である。
【図１６】従来技術の折り畳み式収納箱の箱体を折り畳んだときの不具合を説明する他の図である。
【考案を実施するための形態】
【００１８】
以下、本考案に係る折り畳み式収納箱の構成例について実施形態に分けて説明する。
（第１の実施形態）
図１は第１の実施形態に係る折り畳み式収納箱の外観図、図２はその分解斜視図である。折り畳み式収納箱１は、上方が開口した箱体２と、該箱体２の底面上に載置する底板３と、箱体２の上方開口を覆う蓋体４とから構成される。箱体２は、第１、第２、第３、第４の側壁６、７、８、９で囲まれた箱型で、その任意高さにおける水平断面形状は同一に形成されている。第１、第２の側壁６、７は同一幅で平行に対向している。第３、第４の側壁８、９は幅中心にて上下方向に伸びる幅中心線１０、１１にて折り曲げ可能に形成されている。その折り曲げない状態の幅は第１、第２の側壁６、７の幅より狭くしてある。第３、第４の側壁８、９は、第１、第２の側壁６、７の幅中心線を含む面に対して対称である。
【００１９】
この折り畳み式収納箱１を収納箱として使用する際は、図１、図２に示すように第３、第４の側壁８、９の幅中心線１０、１１を箱内側に寄せて折り曲げた形状として使用する。この状態の形状を収納時形状と呼ぶことにする。箱体２の底部は収納時形状に合わせた形状の軟性布材で覆われている。底板３は収納時形状において箱体２の底部に丁度納まる形状に形成されており、収納時形状にした箱体２の箱体底面上に着脱可能に載置される。蓋体４は、収納時形状にした箱体２の上端部が内側に丁度納まる長方形箱型に形成されている。長方形箱型の開口部は、図３に示すように第１、第２の側壁６、７を蓋体４の天板に平行にした状態で収納できる。即ち、第１、第２、第３、第４の側壁６、７、８、９の側壁高さは、収納時形状における第１、第２の側壁６、７の間隔以下にされている。
【００２０】
収納箱１の不使用時には、第３、第４の側壁８、９をその幅中心線１０、１１にて折り畳むように折り曲げ、第１、第２の側壁６、７も第３、第４の側壁８、９との繋ぎ部を折り畳むように折り曲げ、図４に示すように第１、第２の側壁６、７間に折り畳んだ第３、第４の側壁８、９を挟んだ状態にする。第３、第４の側壁８、９は、折り曲げない状態の幅が第１、第２の側壁６、７の幅より狭くしてあるので図４に示すように折り畳むことができる。この状態で取り外した底板３と重ねて蓋体４内に図３に示すように収納する。長方形箱型の蓋体４の内側高さは、この収納した状態で収納物が蓋体４内に丁度納まる高さに調整してある。
【００２１】
箱体２の各側壁、底板３、蓋体４は、補強材としての板材を布材で覆って形成されている。第３、第４の側壁８、９は、その幅中心線１０、１１を境に左右２枚の板材で補強されている。板材には、中密度繊維板（medium density fireboard）、プラスチック板、合板、木材板、アルミ板等を用いる。蓋体４の天板を補強する板材の上面側にはスポンジ等のクッション材を装入しておく。第１の側壁６には、高さの低い把手を取り付けておくと取り扱いに便利である。
【００２２】
このような構成の折り畳み式収納箱１は、収納時形状にした状態では物品を収納する収納箱として使用できる。加えて、箱体２上に載置した蓋体４を座面とする座椅子としても使用できる。そして、不使用時には図３に示したようにコンパクトな形に折り畳んで収納でき保管に便利である。また、本実施形態の折り畳み式収納箱１は、収納時形状にした場合に第３、第４の側壁８、９はその幅中心線１０、１１が箱内側に寄せて折り曲がった状態になる。このため、座面である蓋体４はその折り曲がった部分で確実に支持される上、その部分が上方の荷重を支えるため大きな荷重に耐えられる利点を有する。
【００２３】
（第２の実施形態）
図５は第２の実施形態に係る折り畳み式収納箱２１の外観図、図６はその分解斜視図である。第１の実施形態の折り畳み式収納箱１と同一又は相当部分には同じ符号が付してある。折り畳み式収納箱２１は、上方が開口した箱体２と、該箱体２の底面上に載置される底板３と、箱体２の上方開口を覆う蓋体４とから構成される。この折り畳み式収納箱２１が第１の実施形態の折り畳み式収納箱１と異なる点は、収納箱として使用する収納時形状にしたときに第３、第４の側壁８、９をその幅中心線１０、１１にて折り曲げることなく、直線状にした状態で使用することにある。直線状にした状態における第３、第４の側壁８、９の幅は、第１の実施形態の折り畳み式収納箱１と同様に、第１、第２の側壁６、７の幅より狭くしてある。
【００２４】
このような構成の折り畳み式収納箱２１は、収納時形状にした状態では物品を収納する収納箱として使用できる。加えて、箱体２上に載置した蓋体４を座面とする座椅子としても使用できる。そして、不使用時には第１の実施形態の折り畳み式収納箱１と同様に、図３に示すコンパクトな形に折り畳んで収納できるので保管に便利である。
【００２５】
（第３の実施形態）
図７は第３の実施形態に係る折り畳み式収納箱３１の外観図、図８はその分解斜視図である。第１の実施形態の折り畳み式収納箱１と同一又は相当部分には同じ符号が付してある。折り畳み式収納箱３１は、上方が開口した箱体２と、該箱体２の底面上に載置する底板３と、箱体２の上方開口を覆う蓋体４とから構成される。箱体２は第１、第２、第３、第４の側壁６、７、８、９で囲まれた箱型で、その任意高さにおける水平断面形状は同一に形成されている。第１、第２の側壁６、７は同一幅で平行に対向している。第３、第４の側壁８、９は、第１、第２の側壁６、７の幅中心線を含む面に対して対称であり、その側壁幅中心に設けた上下方向に伸びる幅中心線１０、１１にて折り曲げ可能に形成してある。図９はその箱体２の平面図である。
【００２６】
この折り畳み式収納箱３１を収納箱として使用する際は、図７、図８に示すように第３、第４の側壁８、９の幅中心線１０、１１を箱内側に寄せて折り曲げた収納時形状として使用する。箱体２の底部は、収納時形状に合わせた形状の軟性布材で覆ってある。底板３は収納時形状において箱体２の底部に丁度納まる形状に形成されており、収納時形状にした箱体２の箱体底面上に着脱可能に載置される。蓋体４は、収納時形状にした箱体２の上端部を内側に納めることができ、且つ、後述するように折り畳んだ箱体２を第１、第２の側壁６、７を蓋体４の天板に平行にした状態で図１０に示すように収納できる大きさの長方形箱型に形成してある。折り畳んだ箱体２が図１０に示すように蓋体４内に納まるには、第１、第２、第３、第４の側壁６、７、８、９の高さは、収納時形状にした箱体２の第１、第２の側壁６、７の間隔以下にしておく必要がある。
【００２７】
収納箱３１の不使用時には、図１１に示すように第１、第２の側壁６、７間に幅中心線１０、１１で折り畳んだ第３、第４の側壁８、９を挟んだ状態にする。図１２は、収納時形状の箱体２を図１１に示す状態に折り畳む過程を示した図である。第４の側壁９をその幅中心線１１にて折り曲げて畳み、第２の側壁７に折り重ねる。次に、その上に第３の側壁８を幅中心線１０にて折り畳んで折り重ねると同時にその上に第１の側壁６を折り重ねる。これにより箱体２は図１１に示すような偏平形状に折り畳まれた状態となる。
【００２８】
第３、第４の側壁８、９の側壁幅の１／２の寸法は、第１、第２の側壁６、７の幅の２／３よりも大きく、第１、第２の側壁６、７の幅よりもその側壁厚み分だけ小さい数値の範囲にされている。好ましくは、第３、第４の側壁８、９の側壁幅の１／２の寸法は、第１、第２の側壁６、７の幅よりも側壁厚みの１〜３倍だけ小さい値が望ましい。このような寸法にした場合、幅中心線１１で折り畳んだ第４の側壁９を第２の側壁７に折り重ねた状態では、幅中心線１１部と第１の側壁６の内側との間には、側壁厚みの１〜２倍の僅かな隙間が残る。第３、第４の側壁８、９の側壁幅の１／２の寸法は第１、第２の側壁６、７の幅の２／３よりも大きいので、箱体２を偏平に折り畳んだときに第３の側壁８の幅中心線１０に沿った折り曲げ角部と第４の側壁９の幅中心線１１に沿った折り曲げ角部とが重なることはない。
【００２９】
第３の側壁８の幅中心線１０部も折り畳んだ状態では第４の側壁９の幅中心線１１部と同様になる。第２の側壁７と第３の側壁８の接続部は、折り畳んだ第４の側壁９を間に挟んだ状態で折り畳まれるため、折り畳んだ状態の角部は若干丸みを帯びることになる。側壁は板材を布材で覆って形成され、角部は布材が繋がった構成となっているため、布材の若干の伸び縮みと変形により折り畳んだ第４の側壁９を間に挟んだ状態での折り畳みが可能になっている。
【００３０】
箱体２は、このように折り畳み、取り外した底板３と重ねて図１０に示すように蓋体４内に収納する。第１、第２、第３、第４の側壁６、７、８、９の高さは、前述したように偏平形状に折り畳んだ箱体２が蓋体４内に納まる寸法にしてある。即ち、その高さは収納時形状における第１、第２の側壁６、７間の寸法にほぼ等しい寸法まで許容される。また、蓋体４の側壁高さは、折り畳んだ箱体２と底板３を収納した状態で収納物が蓋体４に丁度納まる高さに調整してある。
【００３１】
このような構成の折り畳み式収納箱３１は、収納時形状にした状態では物品を収納する収納箱として使用できることに加え、箱体２上に載置した蓋体４を座面とする座椅子としても使用できる。そして、不使用時には図１０に示したようにコンパクトな形に折り畳んで収納できるので保管に便利である。また、本実施形態の折り畳み式収納箱３１は、収納時形状にした場合に第３、第４の側壁８、９は幅中心線１０、１１が箱内側に寄せて折り曲がった状態になる。このため座面である蓋体４はその折り曲がった部分で確実に支持される上、その部分が箱内側寄りであるため上方からの荷重に耐える力が強くなる利点を有する。また、収納時形状にした状態では、第１、第２の側壁６、７間の寸法が第１、第２の側壁６、７の側壁幅の約２倍となる幅広の収納箱を製作できる。加えて、第１、第２、第３、第４の側壁６、７、８、９の高さは、収納時形状における第１、第２の側壁６、７間の寸法にほぼ等しい寸法まで許容されるため、高さの高い収納箱、高さの高い座椅子を製作できる利点を有する。
【００３２】
（第４の実施形態）
図１３は第４の実施形態に係る折り畳み式収納箱４１の外観図、図１４はその分解斜視図である。第１の実施形態の折り畳み式収納箱１と同一又は相当部分には同じ符号が付してある。折り畳み式収納箱４１は、上方が開口した箱体２と、該箱体２の底面上に載置する底板３と、箱体２の上方開口を覆う蓋体４とから構成される。この折り畳み式収納箱４１が第３の実施形態の折り畳み式収納箱３１と異なる点は、収納箱として使用する収納時形状にしたときに第３、第４の側壁８、９を、その幅中心線１０、１１にて折り曲げることなく直線状にした状態で使用することにある。直線状にした状態における第３、第４の側壁８、９の幅は第３の実施形態の折り畳み式収納箱３１と同様に、その側壁幅の１／２の寸法が第１、第２の側壁６、７の２／３よりも大きく、第１、第２の側壁６、７の幅よりもその側壁厚み分だけ小さい数値の範囲にされている。
【００３３】
このような構成の折り畳み式収納箱４１も、第３の実施形態の折り畳み式収納箱３１と同様の利点を有する。若干の相違は、収納時形状にしたときに第３、第４の側壁８、９の幅中心線１０、１１は箱内側に寄せてないので、箱体２は第１、第２、第３、第４の側壁６、７、８、９の上端面のみで支持される点である。
【符号の説明】
【００３４】
図面中、１、２１、３１、４１は折り畳み式収納箱、２は箱体、３は底板、４は蓋体、６は第１の側壁、７は第２の側壁、８は第３の側壁、９は第４の側壁、１０、１１は幅中心線を示す。
【図１】
0003189040.tif 000003
【図２】
0003189040.tif 000004
【図３】
0003189040.tif 000005
【図４】
0003189040.tif 000006
【図５】
0003189040.tif 000007
【図６】
0003189040.tif 000008
【図７】
0003189040.tif 000009
【図８】
0003189040.tif 000010
【図９】
0003189040.tif 000011
【図１０】
0003189040.tif 000012
【図１１】
0003189040.tif 000013
【図１２】
0003189040.tif 000014
【図１３】
0003189040.tif 000015
【図１４】
0003189040.tif 000016
【図１５】
0003189040.tif 000017
【図１６】
0003189040.tif 000018